(57)【要約】【課題】光にさらされたときに、ラウンドダイヤモンドのハートアンドアローパターンに相当するハートアンドアローパターンを表すように適合された十角形の形状をしたダイヤモンドを提供する。【解決手段】  十角形形状のダイヤモンドは、テーブルファセットの周りに互いに対照的で実質的に同等サイズの１０個のメインクラウンファセットと、全てのメインクラウンファセット上でポリッシュされた２個のスターファセットからなる２０個のスターファセットと１０個のメインパビリオンファセットとパビリオンハーフファセットと同数のクラウンハーフファセットと１０個の副パビリオンファセットと２０個の副パビリオンハーフファセットと前記ダイヤモンドが十角形の形状を形成するように互いに所定の角度をなすようにポリッシュされたガードルファセットからなる１０個のメインガードルファセットを形成するようにカットされている。【選択図】図５
2015066434.tif 000002
【特許請求の範囲】
【請求項１】
光にさらされたときに、ラウンドダイヤモンドにおけるハートアンドアローパターンに相当するハートアンドアローパターンを示すように適合された、十角形形状のダイヤモンドであって、
テーブルファセットに対し対称的に配置された１０個のメインクラウンファセットと、
全てのメインクラウンファセット上でポリッシュされた２個のスターファセットを以てなる２０個のスターファセットと、
１０個のメインパビリオンファセットと、
パビリオンハーフファセットと同数のクラウンハーフファセットと、
２０個の副パビリオンファセットと、
１０個の副パビリオンハーフファセットと、
互いに相対的にガードルの厚さが僅かに不均一にポリッシュされたガードルファセットを有する１０個のメインガードルファセットと、を備え、
メインパビリオンファセットとパビリオンハーフファセットは、前記ダイヤモンドの共通のキューレットポイントから前記副パビリオンファセットのみに向かって延びており、を備え、
各ガードルファセットは、前記ダイヤモンドが十角形の形状を形成するように互いに所定の角度をなしている、
ことを特徴とする十角形の形状をしたダイヤモンド。
【請求項２】
前記ガードルファセットは、その隣り合う辺の前記ガードルファセットに対して３６°の角度を形成する１０個の等しいサイズのガードルファセットにポリッシュされていることを特徴とする請求項１に記載の十角形の形状をしたダイヤモンド。
【請求項３】
さらに、２０個のクラウンハーフファセットと、２０個のパビリオンハーフファセットとを備えることを特徴とする請求項２に記載の十角形の形状をしたダイヤモンド。
【請求項４】
前記メインクラウンファセットは、３３．８°〜３５．２°の角度範囲にあり、０．４°の公差にポリッシュされていることを特徴とする請求項３に記載の十角形の形状をしたダイヤモンド。
【請求項５】
前記副パビリオンファセットは、４８°〜６７°の角度範囲にあるようにポリッシュされ、前記副パビリオンハーフファセットは、５０°から７０°までの角度範囲にあるようにポリッシュされていることを特徴とする請求項４に記載の十角形の形状をしたダイヤモンド。
【請求項６】
前記１０個のメインパビリオンファセットは、前記メインクラウンファセットおよび前記ガードルファセットが４０．６°〜４１．１°の角度範囲に並ぶようにポリッシュされていることを特徴とする請求項５に記載の十角形の形状をしたダイヤモンド。
【請求項７】
前記１０個のメインパビリオンファセットは、前記ダイヤモンドの中心またはキューレットに位置する共通の点から延びていることを特徴とする請求項６に記載の十角形の形状をしたダイヤモンド。
【請求項８】
さらに、各メインパビリオンファセット上で対称の配置で形成された２つのパビリオンハーフファセットからなり三角形の幾何学的配置の２０個のパビリオンハーフファセットを備えることを特徴とする請求項７に記載の十角形の形状をしたダイヤモンド。
【請求項９】
各パビリオンハーフファセットは、４１．５°〜４２．２°の角度範囲にあり、かつ前記クラウンハーフファセットに対する角度範囲が３７．０°〜４０．８°となるようにポリッシュされていることを特徴とする請求項８に記載の十角形の形状をしたダイヤモンド。
【請求項１０】
前記パビリオンハーフファセットと前記クラウンハーフファセットとの間の角度の公差は、０．８°を超えないことを特徴とする請求項９に記載の十角形の形状をしたダイヤモンド。
【発明の詳細な説明】
【技術分野】
【０００１】
本発明は、第１１／７４４５７１号の一部継続出願である２００８年９月１６日提出の米国特許出願番号１２／２０８８０６のさらに一部継続出願であり、それぞれの開示事項は参照してこれらを援用するものである。そして、本発明はカットダイヤモンドの分野に関連し、特に、光にさらされたときに、理想的なラウンドカットのダイヤモンドから生じるハートアンドアローパターンに実質的に匹敵するハートアンドアローパターンを生じるように適合させた十角形の形状を有するダイヤモンドに関連する。
【背景技術】
【０００２】
ラウンドカットダイヤモンドが、ほぼ完全な対称形状を有し、かつ後述する表１のように、比較的狭い比率の範囲内でポリッシュされ、等しく対称にカットされたファセットをもつ場合、光にさらしたときに、ラウンドカットダイヤモンドによってハートアンドアローパターンを見せる。ハートアンドアローパターンを有する、ほぼ完全なラウンドカットダイヤモンドは、現在まで、市場における他のどのような形状のダイヤモンドによってもふさわしいものがない、光沢、色、光学的光ハンドリングの特性を与える。ダイヤモンドは、円形以外に、例えば、ハート形状、オーバル、ペア、マーキス、プリンセス、エメラルド等、多くの知られた幾何学的形状にカットされるが、光にさらされたときに、ほぼ完全な対称のラウンド形状のラウンドカットダイヤモンドにより生み出されるハートアンドアローパターンに相当するハートアンドアローパターンをもたらす十角形の形状にダイヤモンドをカットすることは現在知られていない。
【０００３】
これまで、ダイヤモンド産業ではラウンドカットダイヤモンドのみが真のハートアンドアローパターンを生み出すと広く信じられていた。この確信は、ラウンドカットダイヤモンドはほぼ完全な対称形状を有し、かつ、そのクラウンおよびパビリオンファセットのすべてが、そのすべてのパビリオン角の間での角の違いが０．３°より小さく、メインクラウンファセットの角の交差が０．４°より小さく、副クラウンファセットの角の交差が０．３°より小さくカットできるように、容易に同じ角度にカットできること、に基づいている。
これにより、ラウンドカットダイヤモンドにおけるハートアンドアローパターンを得るものとして知られている、狭い角の交差を用いて、ラウンド形状をしたダイヤモンドのほぼ完全な対称形状に似せるようにポリッシュされたダイヤモンドにおいてのみ、真のハートアンドアローパターンを得ることが可能であるという、ダイヤモンド産業における確信が広く受け入れられることとなった。
【０００４】
十角形の形状をしたダイヤモンドは、ラウンドダイヤモンドの形状とは大いに異なる幾何学的形状を有する。したがって、もし、ラウンドカットダイヤモンドのみが真のハートアンドアローパターンを生み出せるという広く受け入れられた確信を受け入れるなら、ラウンドカットのダイヤモンドで生じるハートアンドアローパターンに相当するハートアンドアローパターンを得られる十角形の形状にダイヤモンドをポリッシュすることは思いもよらないことである。
【０００５】
ラウンドカットダイヤモンドにおいて、ハートアンドアローパターンは、カットファセット、アングルパラメータ、アライメント関係の要件が以下の表１で示されるような場合のみ、現れる。
【０００６】
表１
・ダイヤモンドの形状は完全に対称である。
・８個のメインクラウンおよび２４個の副クラウンファセット。
・８個のメインボトムおよび１６個の副ボトムファセット。
・すべてのメインファセット（クラウンおよびボトム）は、互いに完全な４５°の角をなすようにポリッシュされていなければならない。
・すべてのファセットは、完全に並べられている。
・すべてのボトムメインファセットは、等しいサイズであり、４０．６°〜４１．０°の範囲の角を有する。
・すべてのボトム副ファセットは、等しいサイズであり、メインファセット（メインボトム角４０．６°〜４１．０°＋副４１．８°〜４２．２°）よりも正確に１．２°急である。
・すべてのメインクラウンファセットは、等しいサイズであり、３３．８°〜３５．１°の範囲の角を有する。それらは、メインボトムファセット上に完全に並べられていなくてはならない。
・すべての副クラウンファセットは、等しいサイズで、メインクラウンおよび副ボトムファセット上に完全に並べられており、等しい角にポリッシュされている。
・理想的なカット比率：全体の深さ５９．４％〜６２．４％、クラウン高さ１４．５％〜１６．０％、ガードル厚さ１．５％〜２．９５％、丸み９９．０％〜１００％、テーブルサイズ５３．０％〜５７．５％
【発明の概要】
【課題を解決するための手段】
【０００７】
本発明のダイヤモンドは、光にさらされたときに、ラウンドダイヤモンドで表されるハートアンドアローパターンに実質的に同等のハートアンドアローパターンを表すように、十角形の形状にカットされている。本発明の十角形のカットダイヤモンドは、１０個のメインクラウンファセットと、１０個のメインパビリオンファセットと、各メインクラウンファセット上でポリッシュされた２個のスターファセットを以てなる２０個のスターファセットと、パビリオンハーフファセットと同数のクラウンハーフファセットと、１０個の副パビリオンハーフファセットと、２０個の副パビリオンファセットと、前記ダイヤモンドが十角形の形状を形成するように互いに所定の角度でポリッシュされたガードルファセット以てなる１０個のメインガードルファセットと、を有する。
その他の利点は、添付の図面とあわせて読むことで、以下の本発明の詳細な説明から明らかになる。
【図面の簡単な説明】
【０００８】
【図１】本発明の十角形の形状をしたダイヤモンドの平面図であり、ダイヤモンドの側方のテーブルファセット上の１０個のメインクラウンファセットの対称的な配置を表している。
【図２】図１と同様に、本発明の十角形の形状をしたダイヤモンドの他の平面図であり、お互いのメインクラウンファセットの配列および対照的な配置を表している。
【図３】図２と同様、本発明の十角形の形状をしたダイヤモンドのさらに他の平面図であり、メインクラウンファセットとそれに対応するメインパビリオンファセットの配列および配置を表している。
【図４】図２と同様、本発明にかかる十角形の形状をしたダイヤモンドの追加の平面図であり、クラウンスターファセット、クラウンハーフファセットおよびメインクラウンファセットの配置および関係を表している。
【図５】本発明の十角形の形状をしたダイヤモンドの底面図であり、ダイヤモンドの中心またはキューレットのあたりに対照的に配置された、１０個のメインパビリオンファセット、２０個のパビリオンハーフファセット、１０個の副パビリオンハーフファセットおよび２０個の副パビリオンファセットとの間の配置を表している。
【図６】本発明の十角形の形状をしたダイヤモンドの側面図であり、副パビリオンハーフファセットと副パビリオンファセットを示し、ダイヤモンドの全体にわたってガードルの厚さが僅かに不均一であることを表している。
【発明を実施するための形態】
【０００９】
ダイヤモンドは、反射と屈折の方法により光を分散させるプリズムとして機能する結晶である。図１〜６に示されるように、本発明のダイヤモンド１０は、十角形の形状を持っており、十角形の形状は、テーブルファセット（ｔｆ）を囲んで、対照的な配置で、他のメインクラウンファセット（ｍｃｆ）に互いに向かい合って配置され、それぞれが本質的に等しいサイズとした１０個のメインクラウンファセット（ｍｃｆ’ｓ）と、それぞれがメインクラウンファセットと並んだ１０個のメインパビリオンファセット（ｍｐｆ’ｓ）と、全てのメインクラウンファセット（ｍｃｆ）上でポリッシュされた２個のクラウンスターファセットからなり、実質的に等しいサイズの２０個のクラウンスターファセット（ｃｓｆ’ｓ）と、パビリオンハーフファセット（ｐｈｆ）と同数で、好ましくはクラウンスターファセット（ｃｓｆ’ｓ）の数に応じた数のクラウンハーフファセット（ｃｈｆ’ｓ）と、１０個の副パビリオンハーフファセット（ｓｐｈｆ’ｓ）と、２０個の副パビリオンファセット（ｓｐｆ’ｓ）と、前記ダイヤモンドが十角形の形状を形成するように互いに所定の角度でポリッシュされたガードルファセットを以てなる１０個のメインガードルファセット（ｇｆ’ｓ）と、を有する。
【００１０】
ガードルファセットｇｆ’ｓは、最初に、すべてのメインファセットが石の形状に沿っうように、ダイヤモンドに十角形の形状の幾何学形状と、僅かに不均一なガードルの厚さを与える１０個の等しいサイズのガードルファセットｇｆ’ｓにポリッシュされる。各ガードルファセットは、サイズが等しく、各々の隣り合うガードルファセットに関して好ましくは３６°の正確な角を有するべきである。さらに、メインクラウンファセットは、好ましくは３３．８°〜３５．２°の角の範囲でポリッシュされ、さらに、好ましくは等しいサイズと深さとする。さらに、メインパビリオンファセットは、メインクラウンファセットおよびメインガードルファセットに並び、好ましくは４０．６°〜４１．１°の角度範囲となるようにポリッシュしてもよい。副パビリオンファセットは、全体にわたって同一であり、４８°〜６７°の角度範囲にあるようにポリッシュされ、副パビリオンハーフファセットは、副パビリオンファセットよりも２〜３度急になる角にポリッシュされ、したがって、それらの角範囲は５０°から７０°である。
【００１１】
そして、２０個のクラウンスターファセットと２０個のクラウンハーフファセットは、パビリオンハーフファセットのポリッシュに続いて、十角形の形状のダイヤモンド１０状でポリッシュされる。パビリオンハーフファセットは、好ましくは４１．５°〜４２．２°の角範囲にポリッシュされる。クラウンハーフファセットは、好ましくは３７°〜４０．８°の角範囲にポリッシュされる。２０個のクラウンスターファセットは、全てのメインクラウンファセット上に２個のスターファセットがあるようにポリッシュされる。全てのメインクラウンファセット上の２個のスターファセットのポリッシングは、歪みのないハートアンドアローパターンが表れるのを確実にするのに必要な、並外れたスターパターンをもたらす。さらに、すべてのパビリオンハーフファセットとすべてのクラウンハーフファセットの間の角度の公差は０．８°を超えるべきではない。
【００１２】
ファセッティングのアライメントは、可能な限り完全に近く、好ましくは正確とするため倍率１００Ｘのレンズの顕微鏡を用いるべきである。
【００１３】
ラウンドカットのハートアンドアローパターンに同等で、真のハートアンドアローパターンを持つ十角形の形状をしたダイヤモンドを製造するため、下に掲げる表Ｉの最適パラメータを満足するようにダイヤモンドをカットすべきである。
【００１４】
表Ｉ
全体の深さ            ６１．０％〜７４．５％
テーブルサイズ        ５３．０％〜６０．２％
パビリオン深さ        ４１．２％〜４６．５％
クラウン高さ          １３．４％〜１６．８％
クラウン角            ３３．８％〜３５．２％
ガードル厚さ          ０．６％〜７．５％
すべてのメインファセットの間の角度の不一致は０．５°よりも小さく、すべてのスタークラウンファセットおよびハーフファセットの間では０．７°より小さくすべきである。メインファセットは、使われている角度、サイズおよび深さの点ですべて完全に等しく、かつ０．４°の角の公差であるべきである。
【００１５】
追加の１０個の副パビリオンハーフファセット（ｓｐｈｆ’ｓ）と、２０個の副パビリオンファセット（ｓｐｆ’ｓ）は、ダイヤモンドが、原料のダイヤモンドから高いポリッシュ歩留まりを得るように加工されることを可能にしており、それにより、消費者にとって、生産が安価で、より独特なものとなる。図５および６では、参照符号Ａはメインパビリオンファセット（ｍｐｆ’ｓ）を特定するため、参照符号Ｂは副パビリオンファセット（ｓｐｆ’ｓ）を特定するため、参照符号αは、パビリオンハーフファセット（ｐｈｆ’ｓ）を特定するため、参照符号βは副パビリオンファセット（ｓｐｆ’ｓ）を特定するために使われている。図５および６に示されるように、メインパビリオンファセットＡとパビリオンハーフファセットαは、ダイヤモンドの共通のキューレットポイントから副パビリオンファセットのみに延びている。
【図１】
2015066434.tif 000003
【図２】
2015066434.tif 000004
【図３】
2015066434.tif 000005
【図４】
2015066434.tif 000006
【図５】
2015066434.tif 000007
【図６】
2015066434.tif 000008
【外国語明細書】
2015066434000001.pdf
2015066434000002.pdf
2015066434000003.pdf
2015066434000004.pdf